(57)【要約】【課題】特別な時間を作ることなく顧客が記帳データを取得可能で、且つ、累積した記帳データを郵送で受け取ることなく顧客が取得可能な電子通帳及び該電子通帳を用いる取引処理システムを提供する。【解決手段】通信回線１１を介して相互に接続している自動取引装置１０及びホストコンピュータ１２と、自動取引装置１０との間で通信を行う携帯電子通帳１４とを含む取引処理システム１００において、記帳データを短距離無線通信により送信する無線通信部２８を自動取引装置１０側に設け、該記帳データを受信する携帯側通信部２０と、受信した記帳データを格納する記帳データ格納部１６とを携帯電子通帳１４側に設ける。【選択図】        図１
2007052704.tif 000002
【特許請求の範囲】
【請求項１】
少なくとも顧客の口座における口座番号に基づいて取引処理を行い、前記取引処理に関する記帳データに対して前記顧客に記帳要求を入力させる自動取引装置と、通信回線を介して該自動取引装置に接続し、前記記帳データを前記口座番号と対応させて記憶しているホストコンピュータと、前記自動取引装置との間で通信を行い、顧客に専用される携帯電子通帳とを含む取引処理システムであって、
前記携帯電子通帳は、
前記口座番号を予め記憶する口座番号記憶部と、
前記自動取引装置において前記記帳要求が入力された後、前記自動取引装置との通信を開始する接続開始信号を前記顧客に入力させる通帳側入力部と、
前記接続開始信号が入力されると、前記口座番号記憶部に記憶されている前記口座番号を読み出す通帳側読出部と、
入力された前記接続開始信号及び読み出された前記口座番号を前記自動取引装置へ送信する通帳側通信部と、
前記自動取引装置から受信した前記記帳データを格納するための記帳データ格納部とを備え、
前記自動取引装置は、
前記携帯電子通帳から前記接続開始信号及び前記口座番号を受信すると、入力された前記記帳要求に基づいて前記ホストコンピュータに記憶されている前記記帳データの送信を要求する送信要求を生成する生成部と、
生成された前記送信要求と受信された前記口座番号とを前記ホストコンピュータへ送信する装置側通信部とを備え、
前記ホストコンピュータは、
受信された前記送信要求及び前記口座番号に基づいて、記憶されている前記記帳データを読み出すホスト側読出部と、
読み出された前記記帳データを前記自動取引装置へ送信するホスト側送信部とを備え、
前記装置側通信部は、前記ホストコンピュータから前記記帳データを受信して、前記携帯電子通帳へ送信し、
前記記帳データ格納部は、前記自動取引装置から受信した前記記帳データを格納する
ことを特徴とする取引処理システム。
【請求項２】
前記ホストコンピュータは、
前記記帳データを前記口座番号と対応させて記憶しているホスト側記憶部と、前記ホスト側記憶部から前記記帳データを削除するための削除部とを更に備え、
前記生成部は、前記装置側通信部による前記携帯電子通帳への前記記帳データの送信が完了すると、送信済を示す送信済データを生成し、
前記装置側通信部は、前記送信済データを前記ホストコンピュータへ送信し、
前記削除部は、前記自動取引装置から受信した前記送信済データに基づいて、前記ホスト側記憶部から前記記帳データを削除することを特徴とする請求項１記載の取引処理システム。
【請求項３】
前記携帯電子通帳は、受信された前記記帳データを表示するための通帳側表示部を更に備えることを特徴とする請求項１記載の取引処理システム。
【請求項４】
前記携帯電子通帳は、前記顧客の専用の携帯電話機であることを特徴とする請求項１記載の取引処理システム。
【請求項５】
前記通帳側通信部と前記装置側通信部とは、ＩｒＤＡ（Ｉｎｆｒａｒｅｄ  Ｄａｔａ  Ａｓｓｏｃｉａｔｉｏｎ）によって近距離無線通信を行うことを特徴とする請求項１記載の取引処理システム。
【請求項６】
前記通帳側通信部及び前記装置側通信部とは、ブルートゥース（Ｂｌｕｅｔｏｏｔｈ）によって近距離無線通信を行うことを特徴とする請求項１記載の取引処理システム。
【請求項７】
前記自動取引装置において、
前記生成部は、前記装置側通信部による前記携帯電子通帳への前記記帳データの送信が完了すると、送信済を示す送信済データを生成し、前記装置側通信部は、前記送信済データを前記ホストコンピュータへ送信して、前記携帯電子通帳との間における近距離無線通信を終了することを特徴とする請求項１記載の取引処理システム。
【請求項８】
通信回線を介してホストコンピュータに接続され、少なくとも顧客の口座における口座番号に基づいて取引処理を行うための自動取引装置と、該自動取引装置と通信を行い、顧客に専用される携帯電子通帳とを含む取引処理システムであって、
前記携帯電子通帳は、
前記口座番号を予め記憶する口座番号記憶部と、
前記取引処理を行うために前記自動取引装置との通信を開始する接続開始信号を前記顧客に入力させる通帳側入力部と、
前記接続開始信号が入力されると、前記口座番号記憶部に記憶されている前記口座番号を読み出す通帳側読出部と、
入力された前記接続開始信号及び読み出された前記口座番号を前記自動取引装置へ送信する通帳側通信部とを備え
前記自動取引装置は、
前記携帯電子通帳から前記接続開始信号及び前記口座番号を受信すると、前記口座番号に基づいて、前記ホストコンピュータとの間で前記取引処理を実行する取引処理実行部と、
実行された前記取引処理に関する記帳データを前記携帯電子通帳へ送信する装置側通信部とを備えることを特徴とする取引処理システム。
【請求項９】
前記携帯電子通帳は、前記自動取引装置から受信した前記記帳データを格納するための記帳データ格納部を備えることを特徴とする請求項８記載の取引処理システム。
【請求項１０】
前記通帳側通信部と前記装置側通信部とは、ＩｒＤＡ（Ｉｎｆｒａｒｅｄ  Ｄａｔａ  Ａｓｓｏｃｉａｔｉｏｎ）によって近距離無線通信を行うことを特徴とする請求項８記載の取引処理システム。
【請求項１１】
前記通帳側通信部及び前記装置側通信部とは、ブルートゥース（Ｂｌｕｅｔｏｏｔｈ）によって近距離無線通信を行うことを特徴とする請求項８記載の取引処理システム。
【請求項１２】
少なくとも顧客の口座における口座番号に基づいて取引処理を行い、前記取引処理に関する記帳データを前記口座番号と対応させて記憶するためのホストコンピュータと、通信回線を介して該ホストコンピュータに接続するサーバと、インターネットを介して該サーバに接続し、前記顧客に専用され且つ所定識別子を有する携帯電子通帳とを含む取引処理システムであって、
前記携帯電子通帳は、
前記所定識別子を予め記憶する所定識別子記憶部と、
前記サーバに対して前記記帳データを要求する記帳要求と前記口座番号とを前記顧客に入力させる通帳側入力部と、
前記記帳要求及び前記口座番号が入力されると、前記所定識別子記憶部に記憶されている前記所定識別子を読み出す通帳側読出部と、
前記記帳要求、前記口座番号及び前記所定識別子を前記サーバへ送信する通帳側通信部と、
要求された前記記帳データを格納するための記帳データ格納部とを備え、
前記サーバは、
前記所定識別子を前記口座番号と対応させて予め記憶するサーバ側記憶部と、
前記携帯電子通帳から受信した前記口座番号に基づいて、前記サーバ側記憶部に記憶されている前記所定識別子を検索して、該所定識別子と受信された所定識別子とを比較し、一致するか否かを判断する検索判断部と、
前記検索判断部により一致すると判断されると、前記記帳要求に基づいて前記ホストコンピュータに記憶されている前記記帳データの送信を要求するための送信要求を生成する生成部と、
前記送信要求及び前記口座番号を前記ホストコンピュータへ送信するサーバ側送信部とを備え、
前記ホストコンピュータは、
前記記帳データを前記口座番号と対応させて予め記憶しているホスト側記憶部と、
受信された前記送信要求及び前記口座番号に基づいて、前記ホスト側記憶部に記憶されている前記記帳データを読み出すホスト側読出部と、
読み出された前記記帳データを前記サーバへ送信するホスト側送信部とを備え、
前記サーバ側通信部は、前記ホストコンピュータから前記記帳データを受信して、前記携帯電子通帳へ送信し、
前記記帳データ格納部は、前記サーバから受信した前記記帳データを格納する
ことを特徴とする取引処理システム。
【請求項１３】
前記ホストコンピュータは、
前記ホスト側記憶部から前記記帳データを削除するための削除部を更に備え、
前記生成部は、前記サーバ側通信部による前記携帯電子通帳への前記記帳データの送信が完了すると、送信済を示す送信済データを生成し、
前記サーバ側通信部は、前記送信済データを前記ホストコンピュータへ送信し、
前記削除部は、前記サーバから受信した前記送信済データに基づいて、前記ホスト側記憶部から前記記帳データを削除することを特徴とする請求項１２記載の取引処理システム。
【請求項１４】
前記携帯電子通帳は、前記顧客の専用の携帯電話機であり、前記所定識別子は、前記携帯電話機の製造番号であることを特徴とする請求項１２記載の取引処理システム。
【請求項１５】
前記通帳側通信部は、前記記帳要求の送信に伴い、前記自動取引装置との間でｗｅｂ通信を開始するための接続開始信号を前記自動取引装置に送信することを特徴とする請求項１２記載の取引処理システム。
【請求項１６】
少なくとも顧客の口座における口座番号に基づいて取引処理を行うための自動取引装置と、該自動取引装置に通信可能で、前記顧客に専用され、前記口座番号を予め記憶し且つ前記取引処理に関して記帳データを格納している携帯電子通帳と、前記自動取引装置に挿入して使用され、前記口座番号を予め記憶している前記顧客の紙製通帳とを含み、前記記帳データを前記自動取引装置に転送して前記紙製通帳に印字するために、前記自動取引装置は、前記顧客に転送印字要求を入力させる取引処理システムであって、
前記携帯電子通帳は、
前記自動取引装置において前記転送印字要求が入力された後、前記自動取引装置との通信を開始する接続開始信号を前記顧客に入力させる通帳側入力部と、
前記接続開始信号が入力されると、予め記憶されている前記口座番号を読み出す通帳側読出部と、
入力された接続開始信号及び読み出された前記口座番号を前記自動取引装置へ送信する端末側通信部とを備え、
前記自動取引装置は、
前記携帯電子通帳から前記接続開始信号及び前記口座番号を受信すると、前記顧客に前記紙製通帳の挿入を促す催促部と、
挿入された前記紙製通帳に予め記憶された前記口座番号を読み取る口座番号読取部と、
受信した前記口座番号と読み取った前記口座番号とが一致すると、入力された前記転送印字要求に基づいて前記携帯電子通帳に格納されている前記記帳データの送信を要求する送信要求を生成する生成部と、
生成された前記送信要求を前記携帯電子通帳へ送信する装置側通信部と、
前記紙製通帳に前記記帳データを印字するための通帳印字部とを備え、
前記通帳側通信部は、受信した前記送信要求に基づいて格納されている前記記帳データを前記自動取引装置へ送信し、
前記通帳印字部は、受信した前記記帳データを前記紙製通帳に印字することを特徴とする取引処理システム。
【請求項１７】
前記携帯電子通帳は、前記口座番号を暗号化して予め記憶する口座番号記憶部を更に備えることを特徴とする請求項１６記載の取引処理システム。
【請求項１８】
前記紙製通帳は、前記口座番号の磁気データが書き込まれた磁気ストライプを有することを特徴とする請求項１６記載の取引処理システム。
【請求項１９】
前記通帳側通信部と前記装置側通信部とは、ＩｒＤＡ（Ｉｎｆｒａｒｅｄ  Ｄａｔａ  Ａｓｓｏｃｉａｔｉｏｎ）によって近距離無線通信を行うことを特徴とする請求項１６記載の取引処理システム。
【請求項２０】
前記通帳側通信部及び前記装置側通信部とは、ブルートゥース（Ｂｌｕｅｔｏｏｔｈ）によって近距離無線通信を行うことを特徴とする請求項１６記載の取引処理システム。
【発明の詳細な説明】
【技術分野】
【０００１】
本発明は、各取引処理を行う取引処理システムと、該取引処理システムに用いられる電子通帳とに関し、特に、詳細の取引履歴情報を紙製通帳に確実に記帳可能な取引処理システム、及び、紙製通帳と併用可能な電子通帳に関する。
【背景技術】
【０００２】
金融機関において、顧客が口座の開設を申請すると、顧客の名前や口座番号等の口座情報と顧客が設定した暗証番号とがホストコンピュータに登録され、また、表面に磁気ストライプが設けられ且つ該磁気ストライプに口座番号の磁気データが書き込まれた紙製通帳とキャッシュカードとが発行される。そして、通帳又はキャッシュカードを用いる入出金処理及び振込処理と、公共料金の口座引落し処理と、キャッシュカードをデビットカードとして用いる決済処理とのような各種の取引処理を実行することができる。
【０００３】
上記いずれかの取引処理を実行すると、取引処理を実行した日付、取引処理の種類、取引金額、取引処理後の口座の残高金額等を示す複数の記帳データが発生する。
【０００４】
これらの記帳データが、通帳を用いて取引処理を実行する場合、該取引処理の終了時に、一つの記録として、通帳に印字、即ち記帳されることとなる。この場合、この印字された記帳データは、履歴情報として通帳に記載されたので、自動取引装置は、取引処理後の口座の残高金額を示す記帳データのみをホストコンピュータに送信し、他の記帳データは送信しない。
【０００５】
一方、通帳を使用せずに、例えばキャッシュカードを用いて一つの取引処理を実行する場合、該取引処理の複数の記帳データは、詳細の履歴情報としてホストコンピュータへ送信され、一つの記録として該ホストコンピュータに記憶して保管される。
【０００６】
このような各記録に対して、顧客がこれらを通帳に記帳させようとする場合は、顧客が特別な時間を作って、普段は携帯しない通帳をわざわざ持って、自動取引装置の設置場所又は金融機関に出向かなければならず、非常に面倒である。そのため、保管された記録は結局記帳されないままとなってしまい、ホストコンピュータに大量に累積してしまうこととなる。ゆえに、金融機関では、これらの記録を管理するために、多大なコストがかかってしまう。
【０００７】
そこで、金融機関は、ホストコンピュータに設けられる口座毎の記憶量を制限して、例えば記録の数に対して上限を設け、そして記録の数が上限に達すると、保管されている記録のリストを印刷して、これらの記録の保管期限を記述した通知書に該リストを添付して、顧客に郵送している。
【０００８】
顧客が郵送されてきた記録を保管期限までに通帳に記帳させない場合、ホストコンピュータは、これらの記録に含まれる取引金額を合算して合計入金額や合計出金額、残高金額等を求めて、これらの合計金額のみを記憶すると共に、各記録を消去する。これにより、金融機関は、ホストコンピュータにおける記録の管理にかかるコストを抑制している。
【発明の開示】
【発明が解決しようとする課題】
【０００９】
しかしながら、郵送されてきた記録のリストは、通帳とは別になっているため、容易に紛失されてしまう。そして、顧客が全ての取引処理の履歴情報を確認したい場合、この紛失したリストに記載された記録のデータは上記したようにホストコンピュータから消去されてしまったので、これらの記録を再び取得することは既に不可能になってしまっている。
【００１０】
従って、特別な時間を作ることなく顧客が記帳データを取得可能で、且つ、累積した記帳データ、即ち履歴情報に関するリストを郵送で受け取ることなく顧客が取得可能で、更に、通帳機能を持ち、且つ、顧客に取得された記帳データを紙製通帳に再現可能な電子通帳及び該電子通帳を用いる取引処理システムが望まれていた。
【課題を解決するための手段】
【００１１】
本発明は、以上の点を解決するために、次の構成を採用する。
〈構成１〉
本発明に係る取引処理システムは、少なくとも顧客の口座における口座番号に基づいて取引処理を行い、取引処理に関する記帳データに対して顧客に記帳要求入力させる自動取引装置と、通信回線を介して該自動取引装置に接続し、記帳データを口座番号と対応させて記憶しているホストコンピュータと、自動取引装置との間で通信を行い、顧客に専用される携帯電子通帳とを含み、携帯電子通帳は、口座番号を予め記憶する口座番号記憶部と、自動取引装置において記帳要求が入力された後、自動取引装置との通信を開始する接続開始信号を顧客に入力させる通帳側入力部と、接続開始信号が入力されると、口座番号記憶部に記憶されている口座番号を読み出す通帳側読出部と、入力された接続開始信号及び読み出された口座番号を自動取引装置へ送信する通帳側通信部と、自動取引装置から受信した記帳データを格納するための記帳データ格納部とを備え、自動取引装置は、携帯電子通帳から接続開始信号及び口座番号を受信すると、入力された記帳要求に基づいてホストコンピュータに記憶されている記帳データの送信を要求する送信要求を生成する生成部と、生成された送信要求と受信された口座番号とをホストコンピュータへ送信する装置側通信部とを備え、ホストコンピュータは、受信された送信要求及び口座番号に基づいて、記憶されている記帳データを読み出すホスト側読出部と、読み出された記帳データを自動取引装置へ送信するホスト側送信部とを備え、装置側通信部は、ホストコンピュータから記帳データを受信して、携帯電子通帳へ送信し、記帳データ格納部は、自動取引装置から受信した記帳データを格納することを特徴とする。
【００１２】
本発明に係る取引処理システムでは、ホストコンピュータは、記帳データを口座番号と対応させて記憶しているホスト側記憶部と、ホスト側記憶部から記帳データを削除するための削除部とを更に備え、生成部は、装置側通信部による携帯電子通帳への記帳データの送信が完了すると、送信済を示す送信済データを生成し、装置側通信部は、送信済データをホストコンピュータへ送信し、削除部は、自動取引装置から受信した送信済データに基づいて、ホスト側記憶部から記帳データを削除することができる。
【００１３】
また、携帯電子通帳は、受信された記帳データを表示するための通帳側表示部を更に備えることができる。
【００１４】
本発明に係る取引処理システムでは、携帯電子通帳として、顧客の専用の携帯電話機を用いることができる。
【００１５】
また、通帳側通信部と装置側通信部とは、ＩｒＤＡ（Ｉｎｆｒａｒｅｄ  Ｄａｔａ  Ａｓｓｏｃｉａｔｉｏｎ）あるいはブルートゥースによって近距離無線通信を行うことができる。
【００１６】
また、自動取引装置において、生成部は、装置側通信部による携帯電子通帳への記帳データの送信が完了すると、送信済を示す送信済データを生成し、装置側通信部は、送信済データをホストコンピュータへ送信して、携帯電子通帳との間における近距離無線通信を終了することができる。
【００１７】
＜構成２＞
本発明に係る取引処理システムは、通信回線を介してホストコンピュータに接続され、少なくとも顧客の口座における口座番号に基づいて取引処理を行うための自動取引装置と、該自動取引装置と通信を行い、顧客に専用される携帯電子通帳とを含み、携帯電子通帳は、口座番号を予め記憶する口座番号記憶部と、取引処理を行うために自動取引装置との通信を開始する接続開始信号を顧客に入力させる通帳側入力部と、接続開始信号が入力されると、口座番号記憶部に記憶されている口座番号を読み出す通帳側読出部と、入力された接続開始信号及び読み出された口座番号を自動取引装置へ送信する端末側通信部とを備え、自動取引装置は、携帯電子通帳から接続開始信号及び口座番号を受信すると、口座番号に基づいて、ホストコンピュータとの間で取引処理を実行する取引処理実行部と、実行された取引処理に関する記帳データを携帯電子通帳へ送信する装置側通信部とを備えることを特徴とする。
【００１８】
また、本発明に係る取引処理システムでは、携帯電子通帳は、自動取引装置から受信した記帳データを格納するための記帳データ格納部を備えることができる。
【００１９】
また、通帳側通信部と装置側通信部とは、ＩｒＤＡ（Ｉｎｆｒａｒｅｄ  Ｄａｔａ  Ａｓｓｏｃｉａｔｉｏｎ）あるいはブルートゥースによって近距離無線通信を行うことができる。
【００２０】
＜構成３＞
本発明に係る取引処理システムは、少なくとも顧客の口座における口座番号に基づいて取引処理を行い、取引処理に関する記帳データを口座番号と対応させて記憶するためのホストコンピュータと、通信回線を介して該ホストコンピュータに接続するサーバと、インターネットを介して該サーバに接続し、顧客に専用され且つ所定識別子を有する携帯電子通帳とを含み、携帯電子通帳は、所定識別子を予め記憶する所定識別子記憶部と、サーバに対して記帳データを要求する記帳要求と口座番号とを顧客に入力させる通帳側入力部と、記帳要求及び口座番号が入力されると、所定識別子記憶部に記憶されている所定識別子を読み出す通帳側読出部と、記帳要求、口座番号及び所定識別子をサーバへ送信する通帳側通信部と、要求された記帳データを格納するための記帳データ格納部とを備え、サーバは、所定識別子を口座番号と対応させて予め記憶するサーバ側記憶部と、携帯電子通帳から受信した口座番号に基づいて、サーバ側記憶部に記憶されている所定識別子を検索して、該所定識別子と受信された所定識別子とを比較し、一致するか否かを判断する検索判断部と、検索判断部により一致すると判断されると、記帳要求に基づいてホストコンピュータに記憶されている記帳データの送信を要求するための送信要求を生成する生成部と、送信要求及び口座番号をホストコンピュータへ送信するサーバ側送信部とを備え、ホストコンピュータは、記帳データを口座番号と対応させて予め記憶しているホスト側記憶部と、受信された送信要求及び口座番号に基づいて、ホスト側記憶部に記憶されている記帳データを読み出すホスト側読出部と、読み出された記帳データをサーバへ送信するホスト側送信部とを備え、サーバ側通信部は、ホストコンピュータから記帳データを受信して、携帯電子通帳へ送信し、記帳データ格納部は、サーバから受信した記帳データを格納することを特徴とする。
【００２１】
本発明に係る取引処理システムでは、ホストコンピュータは、ホスト側記憶部から記帳データを削除するための削除部を更に備え、生成部は、サーバ側通信部による携帯電子通帳への記帳データの送信が完了すると、送信済を示す送信済データを生成し、サーバ側通信部は、送信済データをホストコンピュータへ送信し、削除部は、サーバから受信した送信済データに基づいて、ホスト側記憶部から記帳データを削除することができる。
【００２２】
また、携帯電子通帳として、顧客の専用の携帯電話機を用いることができる。この場合、所定識別子は、携帯電話機の製造番号となる。
【００２３】
また、通帳側通信部は、記帳要求の送信に伴い、自動取引装置との間でｗｅｂ通信を開始するための接続開始信号を自動取引装置に送信することができる。
【００２４】
＜構成４＞
本発明に係る取引処理システムは、少なくとも顧客の口座における口座番号に基づいて取引処理を行うための自動取引装置と、該自動取引装置に通信可能で、顧客に専用され、口座番号を予め記憶し且つ取引処理に関して記帳データを格納している携帯電子通帳と、自動取引装置に挿入して使用され、口座番号を予め記憶している顧客の紙製通帳とを含み、記帳データを自動取引装置に転送して紙製通帳を印字するために、自動取引装置は、顧客に転送印字要求を入力させ、携帯電子通帳は、自動取引装置において転送印字要求が入力された後、自動取引装置との通信を開始する接続開始信号を顧客に入力させる通帳側入力部と、接続開始信号が入力されると、予め記憶されている口座番号を読み出す通帳側読出部と、入力された接続開始信号及び読み出された口座番号を自動取引装置へ送信する端末側通信部とを備え、自動取引装置は、携帯電子通帳から接続開始信号及び口座番号を受信すると、顧客に紙製通帳の挿入を促す催促部と、挿入された紙製通帳に予め記憶された口座番号を読み取る口座番号読取部と、受信した口座番号と読み取った口座番号とが一致すると、入力された転送印字要求に基づいて携帯電子通帳に格納されている記帳データの送信を要求する送信要求を生成する生成部と、生成された送信要求を携帯電子通帳へ送信する装置側通信部と、紙製通帳に記帳データを印字するための通帳印字部とを備え、通帳側通信部は、受信した送信要求に基づいて格納されている記帳データを自動取引装置へ送信し、通帳印字部は、受信した記帳データを紙製通帳に印字することを特徴とする。
【００２５】
本発明に係る取引処理システムでは、携帯電子通帳は、口座番号を暗号化して予め記憶する口座番号記憶部を更に備えることができる。
【００２６】
また、紙製通帳は、口座番号の磁気データが書き込まれた磁気ストライプを有することができる。
【００２７】
また、通帳側通信部と装置側通信部とは、ＩｒＤＡ（Ｉｎｆｒａｒｅｄ  Ｄａｔａ  Ａｓｓｏｃｉａｔｉｏｎ）あるいはブルートゥースによって近距離無線通信を行うことができる。
【発明の効果】
【００２８】
本発明の取引処理システムによれば、携帯電子通帳を利用することにより、顧客は特別な時間を作る必要なく、記帳データを取得可能ですることができる。これにより、顧客に利便性を向上すると共に、記帳頻度を増すことができる。その結果、金融機関における記帳データの保管量を減少すると共に、データ管理にかかるコストを低減することができる。
【発明を実施するための最良の形態】
【００２９】
以下、本発明の実施形態を図を用いて詳細に説明する。
【実施例１】
【００３０】
図１は、本発明に係る取引処理システムの実施例１の構成を示すブロック図である。
本発明に係る取引処理システム１００は、図１に示されているように、例えば銀行のコーナーに配置される自動取引装置１０と、金融機関のセンターに配置され、該自動取引装置１０に通信回線としての専用回線１１を介して接続するホストコンピュータ１２と、自動取引装置１０との間で近距離無線通信を行う携帯電子通帳としての携帯電話機１４とから構成される。
【００３１】
携帯電話機１４は、顧客に専用され、携帯電子通帳としての機能を有し、口座番号記憶部１５、記帳データ格納部１６、携帯側表示部１７、携帯側入力部１８、携帯側読出部１９、携帯側通信部２０及びこれら各部を制御する携帯側制御部２１を備えている。
【００３２】
口座番号記憶部１５は、顧客の口座における口座番号を予め記憶している専用記憶部である。ここで口座番号は暗号化されて記憶されている。
【００３３】
記帳データ格納部１６は、記帳データを格納する機能を有する。
【００３４】
携帯側表示部１７は、例えばディスプレイからなり、記帳データ格納部１６に格納されている記帳データを表示する機能や、顧客にデータの入力を促す入力画面を表示する機能等を有する。
【００３５】
携帯側入力部１８は、顧客にデータを入力させる機能を有する。ここでデータの入力は選択によって行われることもある。
携帯側入力部１８は、自動取引装置１０と通信するための後述する起動専用ソフトを起動させる起動ボタン１８ａを有しており、顧客が該起動ボタンを押圧することにより、起動専用ソフトが起動されると共に、自動取引装置１０との通信を開始する接続開始信号の入力がなされる。
【００３６】
携帯側読出部１９は、口座番号記憶部１５に記憶されている口座番号を読み出す機能を有する。
【００３７】
携帯側通信部２０は、本実施例ではブルートゥースにより、自動取引装置１０との間で近距離無線の受信及び送信を行う機能を有する。
【００３８】
携帯側制御部２１は、携帯電話機１４の各部を制御するためのプログラムを備えている。該プログラムには、自動取引装置１０と通信するための起動専用ソフト２２が含まれており、上記した起動ボタン１８ａの押圧により起動される。
【００３９】
自動取引装置１０は、表示入力部２３、データ生成部２４、装置側通信部２５及びこれら各部を制御する装置側制御部２６を備えている。
【００４０】
表示入力部２３は、例えばタッチパネルからなり、取引処理の選択画面や顧客に入力させるための入力画面等を表示し、選択データや入力データ等を入力させて取得する機能を有する。
【００４１】
データ生成部２４は、ホストコンピュータ１２に記憶されている記帳データの送信を要求する送信要求データ、即ち送信要求を生成する機能を有する。
【００４２】
装置側通信部２５は、回線通信部２７及び無線通信部２８を備えている。
回線通信部２７は、専用回線１１を介して、ホストコンピュータ１２との間で通信を行う機能を有する。
無線通信部２８は、本実施例ではブルートゥースにより、携帯電話機１４との間で近距離無線通信を行う機能を有する。
【００４３】
装置側制御部２６は、自動取引装置１０の各部を制御するためのプログラムを備えている。
【００４４】
ホストコンピュータ１２は、ホスト側記憶部２９、ホスト側読出部３０、削除部３１、ホスト側通信部３２及びこれら各部を制御するホスト側制御部３３を備えている。
【００４５】
ホスト側記憶部２９は、顧客の名前や口座番号等の口座情報と、残高金額と、未記帳の記帳データとを対応させて記憶している。
【００４６】
図２は、ホスト側記憶部の構成を示す図である。
ホスト側記憶部２９は、各顧客に対応して、口座番号や暗証番号などの口座情報を記憶している。
また、口座番号に対応して、残高金額項目３４と複数の記帳データ項目３５とが設けられている。
【００４７】
残高金額項目３４は、現在の口座の残高金額を記憶している。
記帳データ項目３５は、未記帳の記帳データを履歴情報として記憶している。ここで記帳データには、取引処理を実行した日付、取引処理の種類、取引金額、取引処理直後の残高金額等を示すデータが含まれている。
【００４８】
ホスト側読出部３０は、ホスト側記憶部２９に記憶されている記帳データを読み出す機能を有する。
削除部３１は、ホスト側記憶部２９から記帳データを削除する機能を有する。
【００４９】
ホスト側通信部３２は、専用回線１１を介して、自動取引装置１０との間で通信を行う機能を有する。
【００５０】
ホスト側制御部３３は、ホストコンピュータ１２の各部を制御するためのプログラムを備えている。
【００５１】
また、取引処理システム１００は、自動取引装置１０に挿入して使用され、記帳データを印字できる顧客専用の紙製通帳を含んでいる。
【００５２】
次に、本発明に係る取引処理システム１００の動作を説明する。
図３は、本発明に係る取引処理システムの実施例１の動作を示すフローチャートである。
【００５３】
顧客が自動取引装置１０の前に立つと、図示しない検知センサにより検知され、検知信号が装置側制御部２６に送られる。この検知信号を受け、装置側制御部２６は各部の制御を実施する。
【００５４】
表示入力部２３は、まず、顧客に取引処理を選択させるための取引処理選択画面を表示する（Ｓ１０１）。
【００５５】
図４は、取引処理選択画面を示す構成を示す図である。
取引処理選択画面３６には、各取引処理を選択するための選択ボタンが設けられている。
【００５６】
取引処理選択画面３６において、顧客が「通帳記入」ボタン３７を押圧して記帳処理を選択すると、記帳要求データ、即ち記帳要求が入力される（Ｓ１０２）。
【００５７】
表示入力部２３は、次に、電子通帳及び紙製通帳の何れかに記帳するために通帳選択画面を表示する（Ｓ１０３）。
【００５８】
図５は、通帳選択画面を示す構成を示す図である。
通帳選択画面３８には、紙製通帳に記帳するための紙製通帳選択ボタン３９と、電子通帳、即ち携帯電話機１４に記帳するための携帯電話選択ボタン４０が設けられている。
【００５９】
通帳選択画面３８において、顧客が携帯電話選択ボタン４０を選択する（Ｓ１０４）と、装置側制御部２６は、表示入力部２３に、例えば「登録されている携帯電話機を使用して操作して下さい」というメッセージを含んだ画面を表示させると共に、装置側通信部２５の無線通信部２８を通信可能なオン状態にさせる（Ｓ１０５）。
【００６０】
そして、携帯電話機１４において、顧客が携帯側入力部１８の起動ボタン１８ａを押圧すると、起動専用ソフト２２が起動されると共に、自動取引装置１０との通信を開始する接続開始信号の入力がなされる（Ｓ１０６）。
【００６１】
続いて、携帯側読出部１９は口座番号記憶部１５に記憶されている口座番号を読み出し、携帯側通信部２０は読み出された口座番号と共に入力された接続開始信号を自動取引装置１０へ送信する（Ｓ１０７）。
【００６２】
自動取引装置１０において、無線通信部２８が接続開始信号を受信して、携帯電話機１４との間で通信を開始すると共に、口座番号を受信する。そして、データ生成部２４は、入力された上記の記帳要求に基づいて、ホストコンピュータに記憶されている記帳データの送信を要求する送信要求データ、即ち送信要求を生成する（Ｓ１０８）。
【００６３】
回線通信部２７は、データ生成部２４により生成された送信要求と携帯電話機１４から受信した口座番号とをホストコンピュータへ送信する（Ｓ１０９）。
【００６４】
ホスト側通信部３２が送信要求及び口座番号を受信すると、ホスト側読出部３０は、受信された送信要求及び口座番号に基づいて、ホスト側記憶部２９から記帳データを読み出す（Ｓ１１０）。
【００６５】
ホスト側通信部３２は、ホスト側読出部３０により読み出された記帳データを自動取引装置へ送信する（Ｓ１１１）。
【００６６】
装置側通信部２５において、回線通信部２７が記帳データを受信すると、無線通信部２８が該記帳データを携帯電話機１４へ送信する（Ｓ１１２）。
【００６７】
無線通信部２８による記帳データの携帯電話機１４への送信が完了すると、データ生成部２４は記帳データの送信済を示す送信済データを生成する（Ｓ１１３）。生成された送信済データは、回線通信部２７によりホストコンピュータ１２へ送信されると共に、無線通信部２８により携帯電話機１４に送信される（Ｓ１１４）。
【００６８】
送信済データの送信が完了すると、自動取引装置１０と携帯電話機１４とは通信を終了する（Ｓ１１５）。
【００６９】
ホスト側通信部３２が自動取引装置１０から送信済データを受信すると、削除部３１は、該送信済データに基づいて、ホスト側記憶部２９から送信済の記帳データを削除する（Ｓ１１６）。
【００７０】
また、携帯側通信部２０が自動取引装置１０から送信済データを受信すると、携帯側表示部１７は受信された記帳データを表示し（Ｓ１１７）、記帳データ格納部１６は受信された記帳データを格納する（Ｓ１１８）。
【００７１】
上記のように、本実施例では、顧客の持ち歩く携帯電話機が携帯電子通帳として記帳機能を有しているので、顧客は、特別な時間を作る必要なく、例えば、通り道に設けられている任意の自動取引装置を利用するだけで、記帳データを取得することができる。これにより、顧客に利便性を向上すると共に、記帳頻度を増すことができる。その結果、金融機関における記帳データの保管量を減少すると共に、データ管理にかかるコストを低減することができる。
【００７２】
また、本実施例では、通帳側通信部と装置側通信部とは、ブルートゥースにより通信を行っているが、ＩｒＤＡ（Ｉｎｆｒａｒｅｄ  Ｄａｔａ  Ａｓｓｏｃｉａｔｉｏｎ）により通信を行っても良い。
【実施例２】
【００７３】
図６は、本発明に係る取引処理システムの実施例２の構成を示すブロック図である。
なお、本実施例において、実施例１と同様な構成については同一の符号で示し、これらについての説明を省略する。
【００７４】
本実施例の取引処理システム２００は、図６に示されているように、自動取引装置５０と、該自動取引装置５０に通信回線としての専用回線５１を介して接続するホストコンピュータ５２と、自動取引装置５０との間で近距離無線通信を行う携帯電子通帳としての携帯電話機１４とから構成される。
【００７５】
携帯電話機１４は、顧客に専用され、携帯電子通帳としての機能を有し、口座番号記憶部１５、記帳データ格納部１６、携帯側表示部１７、携帯側入力部１８、携帯側読出部１９、携帯側通信部２０及びこれら各部を制御する携帯側制御部２１を備えている。
【００７６】
携帯側入力部１８は、自動取引装置５０と通信するための後述する起動専用ソフト２２を起動させる起動ボタン１８ａを有している。
【００７７】
携帯側制御部２１は、携帯電話機１４の各部を制御するためのプログラムを備えている。該プログラムは、自動取引装置５０と通信するための起動専用ソフト２２が含まれており、上記した起動ボタン１８ａの押圧により起動される。
【００７８】
自動取引装置５０は、表示入力部２３、装置側通信部２５、取引処理実行部５８及びこれら各部を制御する装置側制御部５７を備えている。
【００７９】
取引処理実行部５８は、口座番号に基づいてホストコンピュータ５２との間で取引処理を実行する機能を有する。
【００８０】
また、取引処理システム２００は、自動取引装置５０に挿入して使用され、記帳データを印字できる顧客専用の紙製通帳と、暗証番号の入力を伴う取引処理を実行できるキャッシュカードとを含んでいる。
【００８１】
次に、本発明に係る取引処理システム２００の動作を、携帯電話機を用いた入金処理を例として説明する。
図７は、本発明に係る取引処理システムの実施例２の動作を示すフローチャートである。
【００８２】
顧客が自動取引装置５０の前に立つと、図示しない検知センサにより検知され、検知信号が装置側制御部５７に送られる。この検知信号を受け、装置側制御部５７は各部の制御を実施する。
【００８３】
表示入力部２３は、まず、顧客に取引処理を選択させるための取引処理選択画面（図４）を表示する（Ｓ２０１）。
【００８４】
取引処理選択画面３６において、顧客が「お預け入れ」ボタン６２を押圧して入金処理を選択すると、入金要求データ、即ち入金要求が入力される（Ｓ２０２）。
【００８５】
表示入力部２３は、次に、入金処理においてキャッシュカード、紙製通帳及び電子通帳の何れを利用するかを顧客に選択させるためのカード通帳選択画面を表示する（Ｓ２０３）。
【００８６】
図８は、カード通帳選択画面を示す構成を示す図である。
カード通帳選択画面６３には、顧客にキャッシュカード、紙製通帳及び電子通帳の何れを利用するかの選択を促すメッセージが表示され、キャッシュカードを選択するためのカード選択ボタンと、紙製通帳を選択するための紙製通帳選択ボタンと、電子通帳を選択するための電子通帳選択ボタン６４が設けられている。
【００８７】
カード通帳選択画面６３において、顧客が電子通帳選択ボタン６４を選択する（Ｓ２０４）と、装置側制御部５７は、表示入力部２３に、例えば「登録されている携帯電話機を使用して操作して下さい」というメッセージを含んだ画面を表示させると共に、装置側通信部２５の無線通信部２８を通信可能なオン状態にさせる（Ｓ２０５）。
【００８８】
そして、携帯電話機１４において、顧客が携帯側入力部１８の起動ボタン１８ａを押圧すると、起動専用ソフト２２が起動されると共に、自動取引装置１０との通信を開始する接続開始信号の入力がなされる（Ｓ２０６）。
【００８９】
続いて、携帯側読出部１９は口座番号記憶部１５に記憶されている口座番号を読み出し、携帯側通信部２０は読み出された口座番号と共に入力された接続開始信号を自動取引装置５０へ送信する（Ｓ２０７）。
【００９０】
自動取引装置５０において、無線通信部２８が接続開始信号を受信して、携帯電話機１４との間で通信を開始すると共に、口座番号を受信する。そして、取引処理実行部５８は、ホストコンピュータ５２との間で受信された口座番号に基づいた入金処理を実行する（Ｓ２０８）。
【００９１】
入金処理の実行に伴い、実行された取引処理が入金処理であることを示すデータや、入金処理を実行した日付を示すデータ、入金額を示すデータ、入金処理実行後の残高金額を示すデータ等を含んだ記帳データが発生する。無線通信部２８は、この記帳データを、携帯電話機１４へ送信する（Ｓ２０９）。
【００９２】
記帳データの送信が完了すると、自動取引装置５０と携帯電話機１４とは通信を終了する（Ｓ２１０）。
【００９３】
携帯側通信部２０が自動取引装置５０から記帳データを受信すると、携帯側表示部１７が受信された記帳データを表示し（Ｓ２１１）、記帳データ格納部１６が受信された記帳データを格納する（Ｓ２１２）。
【００９４】
上記のように、本実施例では、顧客の持ち歩く携帯電話機が携帯電子通帳として
通帳機能を有しているので、顧客は、自動取引装置を利用して、携帯電話機により入金処理を実行することができる。これにより、更に顧客に利便性を向上する。
【００９５】
なお、暗証番号の入力を必要とする取引処理、例えば出金処理を行う場合は、カードと携帯電話機とを併用することができる。この場合、取引処理の実行に伴って発生した記帳データを、該取引処理終了時に携帯電話機に格納することができる。
【実施例３】
【００９６】
図９は、本発明に係る取引処理システムの実施例３の構成を示すブロック図である。
本実施例の取引処理システムでは、ホストコンピュータと携帯電子通帳との間にサーバを設け、該サーバを介してデータを送受信する構成が、実施例１及び２とは異なる。
なお、本実施例において、実施例１と同様な構成については同一の符号で示し、これらについての説明を省略する。
【００９７】
本実施例の取引処理システム３００は、図９に示されているように、ホストコンピュータ７０と、該ホストコンピュータ７０に通信回線としての専用回線７１を介して接続するサーバ７２と、該サーバ７２にインターネット７３を介して接続する携帯電子通帳としての携帯電話機７４とから構成される。
【００９８】
携帯電話機７４は、顧客に専用され、携帯電子通帳としての機能を有し、所定識別子記憶部７５、記帳データ格納部１６、携帯側表示部７６、携帯側入力部７７、携帯側通信部７９及びこれら各部を制御する携帯側制御部８０を備えている。
【００９９】
所定識別子記憶部７５は、携帯電話機７４を特定する所定識別子を記憶している専用記憶部である。本実施例では、所定識別子として携帯電話機７４の製造番号を採用する。
【０１００】
携帯側表示部７６は、例えばディスプレイからなり、ｗｅｂブラウザを表示する機能を有する。
携帯側入力部７７は、顧客に入力データを入力させる機能を有する。これにより、例えば、サーバ７２に対して記帳データを要求するための記帳要求を入力することができる。
【０１０１】
携帯側通信部７９は、サーバ７２との間でデータを送受信する機能を有する。
【０１０２】
携帯側制御部８０は、携帯電話機７４の各部を制御するためのプログラムを備えている。
【０１０３】
サーバ７２は、本実施例ではｗｅｂサーバであり、サーバ側記憶部８２、検索判断部８３、データ生成部８４、サーバ側通信部８５及びこれら各部を制御するサーバ側制御部８６を備える。
【０１０４】
サーバ側記憶部８２は、顧客の口座における口座番号と所定識別子とを対応させて記憶する機能を有する。
【０１０５】
図１０は、サーバ側記憶部の構成を示す図である。
サーバ側記憶部８２は、各口座番号に対応して、所定識別子を予め格納している。例えば、口座番号「ＸＸＸＸＸＸ１」の口座では、所定識別子は「ＺＺＺＺＺＺ１」となっている。
【０１０６】
検索判断部８３は、携帯電話機７４から受信した口座番号に基づいて、サーバ側記憶部８２に記憶されている所定識別子を検索して、携帯電話機７４から受信した所定識別子と一致するか否かを判断する機能を有する。
【０１０７】
データ生成部８４は、ホストコンピュータ７０に記憶されている記帳データの送信を要求する送信要求データ、即ち送信要求を生成する機能を有する。
【０１０８】
サーバ側通信部８５は、ホストコンピュータ７０との間でデータを送受信する機能と、携帯電話機７４との間でデータを送受信する機能とを有する。
【０１０９】
ホストコンピュータ７０は、ホスト側記憶部２９、ホスト側読出部３０、削除部３１、ホスト側通信部８７及びこれら各部を制御するホスト側制御部８８を備える。
【０１１０】
ホスト側通信部８７は、サーバ７２との間でデータを送受信する機能を有する。
【０１１１】
ホスト側制御部８８は、ホストコンピュータ７０の各部を制御するためのプログラムを備えている。
【０１１２】
次に本発明に係る取引処理システム３００の動作を説明する。
図１１は、本発明に係る取引処理システムの実施例３の動作を示すフローチャートである。
【０１１３】
顧客Ａが携帯電話機７４を操作してサーバ７２へのアクセスを要求すると、携帯側制御部８０は制御動作を実施し、携帯側通信部７９にサーバ７２へのアクセス要求を送信させる（Ｓ３０１）。
【０１１４】
サーバ側通信部８５がアクセス要求を受信すると、サーバ側制御部８６は制御動作を実施し、サーバ側通信部８５に印字要求を顧客に送信させるための要求データ送信画面を携帯電話機７４へ送信させる。携帯側通信部７９が要求データ送信画面を受信すると、携帯側制御部８０は、携帯側表示部７６に該画面を表示させる（Ｓ３０２）。
【０１１５】
図１２は、要求データ送信画面の構成を示す図である。
要求送信画面８９には、顧客に口座番号を入力させるための入力領域９０、入力した口座番号を送信するための「送信」ボタン９１、印字要求を中止するための「キャンセル」ボタン９２が表示されている。
【０１１６】
顧客Ａが自分の口座における口座番号「ＸＸＸＸＸＸ１」を入力して、「送信」ボタン４１を選択する（Ｓ３０３）と、携帯側制御部８０は、所定識別子記憶部７５から所定識別子「ＺＺＺＺＺＺ１」を読み出し、携帯側通信部７９に印字要求、入力された口座番号「ＸＸＸＸＸＸ１」及び読み出した所定識別子「ＺＺＺＺＺＺ１」をサーバ７２へ送信させる（Ｓ３０３）。
【０１１７】
サーバ側通信部８５が印字要求、口座番号及び所定識別子を受信すると、検索判断部８３は受信した口座番号に基づいてサーバ側記憶部８２を検索し、該口座番号に対応して記憶されている所定識別子を読み出し、読み出した所定識別子と受信した所定識別子とを比較し、一致するか否かを判断する（Ｓ３０４）。
【０１１８】
一致すると判断すると、データ生成部８４は、受信した印字要求に基づいて、ホスト側記憶部２９に記憶されている記帳データの送信を要求する送信要求を生成し、サーバ側通信部８５が該送信要求を口座番号と共にホストコンピュータ７０へ送信する（Ｓ３０５）。
【０１１９】
ホスト側通信部８７が送信要求及び口座番号を受信すると、ホスト側読出部３０は、ホスト側記憶部２９に受信した口座番号に対応して格納されている記帳データを読み出し、ホスト側通信部８７が該記帳データをサーバ７２へ送信する（Ｓ３０６）。即ち、ホスト側通信部８７は、ホスト側記憶部２９において、口座番号「ＸＸＸＸＸＸ１」の口座に対応する記帳データ項目３５に格納されている記帳データ「記帳データ１Ａ」及び「記帳データ２Ａ」をサーバ７２へ送信する。
【０１２０】
サーバ側通信部８５が記帳データを受信すると、サーバ側制御部８６は、サーバ側通信部８５に該記帳データを携帯電話機７４へ送信させる（Ｓ３０７）。
【０１２１】
サーバ側通信部８５による記帳データの携帯電話機７４への送信が完了すると、データ生成部８４は記帳データの送信済を示す送信済データを生成する(Ｓ３０８)。生成された送信済データは、サーバ通信部によりホストコンピュータ７０及び携帯電話機７４に送信される（Ｓ３０９）。
【０１２２】
送信済データの送信が完了すると、サーバ７２と携帯電話機７４とは通信を終了する（Ｓ３１０）。
【０１２３】
ホスト側通信部８７が送信済データを受信すると、削除部３１は、受信された送信済データに基づいて、ホスト側記憶部２９から送信済の記帳データを削除する（Ｓ３１１）。
【０１２４】
また、携帯側通信部７９が送信済データを受信すると、携帯側表示部１７は受信された記帳データを表示し（Ｓ３１２）、記帳データ格納部１６は受信された記帳データを格納する（Ｓ３１３）。
【０１２５】
所定識別子が一致しないと判断する（Ｓ３０４）と、サーバ側通信部８５は登録されている携帯電話機と一致しないことを示す終了画面を携帯電話機７４へ送信し、携帯側表示部７６が該画面を表示して（Ｓ３１４）、取引処理システム３００は処理を終了する。
【０１２６】
上記のように、本実施例では、インターネット回線を介して顧客の携帯電話機に記帳できるようにすることにより、顧客は、自動取引装置の設置場所に出向かなくても、記帳データを取得できる。
【０１２７】
なお、顧客に携帯電話機への記帳データの格納を促すメッセージを、電子メールにより携帯電話機へ送信する構成をとることもできる。この場合、携帯電話機の電子メールアドレスを予めサーバ側記憶部又はホスト側記憶部に登録しておく。そして、従来、郵送で通知されていた記帳データ、即ち履歴情報に関するリストを、登録されている電子メールアドレスに基づいて、電子メールで送信する。これにより、顧客は記帳データを取得することができる。
【実施例４】
【０１２８】
図１３は、本発明に係る取引処理システムの実施例４の構成を示すブロック図である。
なお、本実施例において、実施例１乃至３と同様な構成については同一の符号で示し、これらについての説明を省略する。
【０１２９】
本実施例の取引処理システム４００は、図１４に示されているように、自動取引装置９３と、該自動取引装置９３に通信回線としての近距離無線通信回線９４を介して接続する携帯電子通帳としての携帯電話機９５と、携帯電話機９５と併用される紙製通帳９６とから構成される。
【０１３０】
携帯電話機１４は、顧客に専用され、携帯電子通帳としての機能を有し、口座番号記憶部１５、記帳データ格納部１６、携帯側表示部１７、携帯側入力部１８、携帯側読出部１９、携帯側通信部２０及びこれら各部を制御する携帯側制御部２１を備えている。
【０１３１】
携帯側入力部１８は、自動取引装置９３と通信するための後述する起動専用ソフト２２を起動させる起動ボタン１８ａを有している。
【０１３２】
携帯側制御部２１は、携帯電話機１４の各部を制御するためのプログラムを備えている。該プログラムは、自動取引装置９３と通信するための起動専用ソフト２２が含まれており、上記した起動ボタン１８ａの押圧により起動される。
【０１３３】
紙製通帳９６は、顧客に専用され、表面に顧客の口座における口座番号の磁気データが書き込まれた磁気ストライプ９９を有している。
【０１３４】
自動取引装置９３は、表示入力部２３、口座番号読取部１０１、データ生成部１０２、装置側通信部１０３、通帳印字部１０４及びこれら各部を制御する装置側制御部１０５を備えている。
【０１３５】
口座番号読取部１０１は、自動取引装置９３に挿入された紙製通帳９６の磁気ストライプ９９から口座番号の磁気データを読み取る機能を有する。
【０１３６】
データ生成部１０２は、携帯電話機１４に格納されている記帳データの送信を要求する送信要求データ、即ち送信要求を生成する機能を有する。
【０１３７】
装置側通信部１０３は、本実施例ではブルートゥースにより、携帯電話機１４との間で近距離無線通信を行う機能を有する。
【０１３８】
通帳印字部１０４は、紙製通帳９６に記帳データを印字する機能を有する。
【０１３９】
装置側制御部１０５は、自動取引装置９３の各部を制御するためのプログラムを備えている。
【０１４０】
次に、本発明に係る取引処理システム４００の動作を説明する。
図１４は、本発明に係る取引処理システムの実施例４の動作を示すフローチャートである。
【０１４１】
顧客が自動取引装置９３の前に立つと、図示しない検知センサにより検知され、検知信号が装置側制御部１０５に送られる。この検知信号を受け、装置側制御部１０５は各部の制御を実施する。
【０１４２】
表示入力部２３は、まず、顧客に取引処理を選択させるための取引処理選択画面３６（図４）を表示する（Ｓ４０１）。
【０１４３】
取引処理選択画面３６において、顧客が「通帳記入」ボタン３７を押圧して記帳処理を選択すると、記帳要求データ、即ち記帳要求が入力される（Ｓ４０２）。
【０１４４】
表示入力部２３は、次に、電子通帳及び紙製通帳の何れかに記帳するために通帳選択画面３８（図５）を表示する（Ｓ４０３）。
【０１４５】
通帳選択画面３８において、顧客が紙製通帳選択ボタン３９を選択する（Ｓ４０４）と、装置側制御部１０５は、表示入力部２３に紙製通帳９６に印字する記帳データを顧客に選択させるための印字データ選択画面を表示させる（Ｓ４０５）。
【０１４６】
図１５は、印字データ選択画面の構成を示す図である。
印字データ選択画面１０６には、図示されないホストコンピュータに記憶されている未記帳の記帳データを印字するための未記帳データ選択ボタン１０７と、携帯電話機１４に格納されている記帳データを自動取引装置９３に転送して印字するための携帯側データ選択ボタン１０８とが設けられている。
【０１４７】
印字データ選択画面１０６において、顧客が携帯側データ選択ボタン１０８を選択すると、転送印字要求データ、即ち転送印字要求が入力される（Ｓ４０６）。
【０１４８】
転送印字要求が入力されると、装置側制御部１０５は、表示入力部２３に、例えば「登録されている携帯電話機を使用して操作して下さい」というメッセージを含んだ画面を表示させると共に、装置側通信部１０３を通信可能なオン状態にさせる（Ｓ４０７）。
【０１４９】
そして、携帯電話機１４において、顧客が携帯側入力部１８の起動ボタン１８ａを押圧すると、起動専用ソフト２２が起動されると共に、自動取引装置９３との通信を開始する接続開始信号の入力がなされる（Ｓ４０８）。
【０１５０】
続いて、携帯側読出部１９は口座番号記憶部１５に記憶されている口座番号を読み出し、携帯側通信部２０は読み出された口座番号と共に入力された接続開始信号を自動取引装置９３へ送信する（Ｓ４０９）。
【０１５１】
自動取引装置９３において、装置側通信部１０３が接続開始信号を受信して、携帯電話機１４との間で通信を開始すると共に、口座番号を受信する。
【０１５２】
続いて、装置側制御部１０５、顧客に紙製通帳９６の挿入を促すための通帳挿入画面を表示入力部２３に表示させる（Ｓ４１０）。
【０１５３】
図示されない通帳挿入口に紙製通帳９６が挿入されると、口座番号読取部１０１は挿入された紙製通帳９６の磁気ストライプ９９から口座番号の磁気データを読み取る（Ｓ４１１）。
【０１５４】
装置側制御部１０５は、携帯電話機９５から受信した口座番号と紙製通帳９６から読み取られた口座番号とを比較し判断する（Ｓ４１２）。一致すると判断されると、データ生成部１０２は、入力された上記の転送印字要求に基づいて、携帯電話機１４に格納されている記帳データの送信を要求する送信要求データ、即ち送信要求を生成する（Ｓ４１３）。
【０１５５】
装置側通信部１０３は、データ生成部１０２により生成された送信要求を携帯電話機１４へ送信する（Ｓ４１４）。
【０１５６】
携帯側通信部２０が送信要求を受信すると、携帯側読出部１９は、受信された送信要求に基づいて、記帳データ格納部１６から記帳データを読み出す（Ｓ４１５）。
【０１５７】
携帯側通信部２０は、携帯側読出部１９により読み出された記帳データを自動取引装置９３へ送信する（Ｓ４１６）。
【０１５８】
装置側通信部１０３が記帳データを受信すると、通帳印字部１０４は、紙製通帳９６に該データを印字する（Ｓ４１７）。
【０１５９】
通帳印字部１０４による印字が完了すると、データ生成部１０２は、印字が完了したことを示す印字済データを生成する（Ｓ４１８）。生成された印字済データは、装置側通信部１０３により携帯電話機１４に送信される（Ｓ４１９）。
【０１６０】
印字済データの送信が完了すると、自動取引装置９３と携帯電話機１４との通信を終了する（Ｓ４２０）。］
また、装置側制御部１０５は、紙製通帳９６を排出させる（Ｓ４２１）。
【０１６１】
口座番号が一致しないと判断する（Ｓ４１２）と、表示入力部２３は口座番号が一致しないことを示す終了画面を表示する（Ｓ４２２）。また、装置側通信部は、該終了画面を携帯電話機１４に送信し（Ｓ４２３）、自動取引装置９３と携帯電話機との通信は終了する（Ｓ４２０）。
【０１６２】
上記のように、本実施例では、携帯電話機に取得された記帳データを、自動取引装置に転送し、紙製通帳に印字して再現することができる。
【図面の簡単な説明】
【０１６３】
【図１】本発明に係る取引処理システムの実施例１の構成を示すブロック図である。
【図２】ホスト側格納部の構成を示す図である。
【図３】本発明に係る取引処理システムの実施例１の動作を示すフローチャートである。
【図４】取引処理選択画面示す構成を示す図である。
【図５】通帳選択画面を示す構成を示す図である。
【図６】本発明に係る取引処理システムの実施例２の構成を示すブロック図である。
【図７】本発明に係る取引処理システムの実施例２の動作を示すブロック図である。
【図８】カード通帳選択画面を示す構成を示す図である。
【図９】本発明に係る取引処理システムの実施例３の構成を示すブロック図である。
【図１０】サーバ側記憶部の構成を示す図である。
【図１１】本発明に係る取引処理システムの実施例３の動作を示すブロック図である。
【図１２】要求データ送信画面の構成を示す図である。
【図１３】本発明に係る取引処理システムの実施例４の構成を示すブロック図である。
【図１４】本発明に係る取引処理システムの実施例４の動作を示すブロック図である。
【図１５】印字データ選択画面の構成を示す図である。
【符号の説明】
【０１６４】
１０    自動取引装置
１２    ホストコンピュータ
１４    携帯電話機
１６    記帳データ格納部
２０    携帯側通信部
２８    無線通信部
１００  取引処理システム
【図１】
2007052704.tif 000003
【図２】
2007052704.tif 000004
【図３】
2007052704.tif 000005
【図４】
2007052704.tif 000006
【図５】
2007052704.tif 000007
【図６】
2007052704.tif 000008
【図７】
2007052704.tif 000009
【図８】
2007052704.tif 000010
【図９】
2007052704.tif 000011
【図１０】
2007052704.tif 000012
【図１１】
2007052704.tif 000013
【図１２】
2007052704.tif 000014
【図１３】
2007052704.tif 000015
【図１４】
2007052704.tif 000016
【図１５】
2007052704.tif 000017